(57)【要約】【課題】磁石を使った不正行為を有効に防止し得ると共に、高確率導入路や通常確率導入路へのイレギュラー的な遊技球の進入を低減させることで振分け率を安定させるようにした弾球遊技機を提供する。【解決手段】振分け装置３０に備えた振分け回動部材３９が、通常確率導入路側に傾斜する一方向と高確率導入路側に傾斜する他方向とに交互に回動し、一方向に回動した状態にでは導入路３５から分岐路３４に進入する遊技球Ｂａに当接する段差を形成することで、不正行為の無い形で分岐路に転動してくる遊技球のみを乗り越えさせて該分岐路に進入させ、不正行為によって転動される遊技球を停止させて分岐路内に進入させないように構成される。これにより、不正行為を有効に防止でき、遊技球の勢いに影響されることなくイレギュラー的な進入を低減させ、遊技球の振分け率を安定させることができる。【選択図】図６
2010200966.tif 000002
【特許請求の範囲】
【請求項１】
遊技盤の遊技領域に、該遊技領域に打ち出された遊技球を開閉部材の開閉動作で導入し、かつ該遊技球を機械的抽選部の特定入賞部と外れ部位の何れかに導くように構成された可変入賞装置を備えてなる弾球遊技機において、
前記可変入賞装置は、遊技球を前記機械的抽選部に所定の導入確率で導入し得る通常確率導入路と、遊技球を前記機械的抽選部に該通常確率導入路への導入確率より高い導入確率で導入し得る高確率導入路と、これら両導入路の何れかに遊技球を振り分ける振分け装置と、を有し、
該振分け装置は、前記開閉部材により導入された遊技球を前記高確率導入路及び前記通常確率導入路のうちの何れか一方に振り分けるように直線状に延在する分岐路と、前記開閉部材により導入された遊技球を前記分岐路の延在方向に対し直交する形で導くように形成された導入路と、前記分岐路と前記導入路との交差部分に配置された振分け回動部材と、を有し、かつ、
該振分け回動部材は、
前記通常確率導入路側に傾斜する一方向と前記高確率導入路側に傾斜する他方向とに交互に回動し、前記一方向に回動した状態にあっては前記導入路から前記分岐路に進入する遊技球に当接する段差を形成することで、前記分岐路に通常の過程を経て転動してくる遊技球のみを乗り越えさせて該分岐路に進入させ、かつ前記通常の過程以外の過程を経て転動してくる遊技球を停止させて前記分岐路内に進入させないように構成される、
ことを特徴とする弾球遊技機。
【請求項２】
前記導入路は、遊技球の直径よりやや大きい幅を有し、かつ前記導入路を介して転動してくる遊技球を前記高確率導入路側に寄せた状態で前記分岐路に進入させ得るように傾斜状態で前記分岐路に連結されてなり、
前記振分け回動部材は、前記一方向に回動した状態にあっては、前記高確率導入路側に寄った状態で前記分岐路に進入する遊技球の中心より下部側を当接するように前記分岐路から突出してなる、
請求項１記載の弾球遊技機。
【発明の詳細な説明】
【技術分野】
【０００１】
本発明は、パチンコ機等の弾球遊技機に関し、詳しくは、遊技領域に設けられた可変入賞装置において遊技球を振り分ける振分け装置を備えた弾球遊技機に関する。
【背景技術】
【０００２】
弾球遊技機、例えば所謂第２種パチンコ機において、以下のようなものが知られている（特許文献１参照）。該パチンコ機は、遊技盤の遊技領域の略中央部に電動式普通役物装置を備え、該役物装置の入賞室の下方に第１の回転体（所謂クルーン）を有し、該第１の回転体に３つの落下口（特定落下口及び他の落下口）を有している。
【０００３】
上記パチンコ遊技機にあっては、３つの落下口に落下した遊技球を振り分けるための振分手段が、上下に配置された第１の回転体と第２の回転体とによって構成され、所謂Ｖゾーンである特定落下口が、連通部材によって第２の回転体に連通され、該特定落下口に落下した遊技球が、連通部材を通過して、第２の回転体の下方の第２の球回収部材に振り分けられる。所謂外れゾーンである落下口に落下した遊技球は、第２の回転体の上方に振り分けられる。
【０００４】
また、上記所謂第２種パチンコ機として、次のようなものも知られている（特許文献２参照）。即ち、該特許文献２記載のパチンコ機は、遊技領域に、始動入賞口と、該始動入賞口に遊技球が入賞したとき開閉制御される羽根を有する可変入賞装置とを備え、該羽根の開放時に該可変入賞装置に導入された遊技球が特定領域を通過した際に特別遊技状態を発生させるように構成されている。可変入賞装置は、導入された遊技球が誘導される分岐通路部に、特定領域への入賞確率が高くなるように設けられた高確率誘導通路と、該高確率誘導通路より入賞確率が低くなるように設けられた通常確率誘導通路とを連通して備え、不正行為により可変入賞装置内に導かれた遊技球が高確率誘導通路以外の方向に転がり移動させ得る阻止部を分岐通路部に設けて構成される。
【先行技術文献】
【特許文献】
【０００５】
【特許文献１】特開２００３−２６５７２８号公報
【特許文献２】特開２００８−２２９０９３号公報
【発明の概要】
【発明が解決しようとする課題】
【０００６】
しかし、上記特許文献２記載のパチンコ機によると、内部に導入された遊技球が誘導される分岐通路部の下流に高確率誘導通路と通常確率誘導通路とを備えた可変入賞装置の意匠を損なうことなく磁石使用の不正行為（所謂磁石ゴト）への対策が有効になるものの、遊技球を高確率誘導通路と通常確率誘導通路とに振り分ける際の振分け率がばらつき、振分け率の安定化が難しいという問題があった。
【０００７】
そこで本発明は、磁石を使った不正行為を有効に防止し得ると共に、高確率誘導通路に相当する高確率導入路や通常確率誘導通路に相当する通常確率導入路へのイレギュラー的な遊技球の進入を低減させることで両導入路に遊技球を振り分ける際の振分け率を安定させ得るように構成した弾球遊技機を提供することを目的としている。
【課題を解決するための手段】
【０００８】
請求項１に係る本発明は（例えば図１ないし図１３参照）、遊技盤（１１）の遊技領域（１１ａ）に、該遊技領域（１１ａ）に打ち出された遊技球（Ｂａ）を開閉部材（１３ａ）の開閉動作で導入し、かつ該遊技球（Ｂａ）を機械的抽選部（４７）の特定入賞部（５３ａ）と外れ部位（５３ｂ，５３ｃ）の何れかに導くように構成された可変入賞装置（２２）を備えてなる弾球遊技機（１）において、
前記可変入賞装置（２２）は、遊技球（Ｂａ）を前記機械的抽選部（４７）に所定の導入確率（例えば５０％）で導入し得る通常確率導入路（３１）と、遊技球（Ｂａ）を前記機械的抽選部（４７）に該通常確率導入路（３１）への導入確率より高い導入確率（例えば１００％）で導入し得る高確率導入路（３２）と、これら両導入路（３１，３２）の何れかに遊技球（Ｂａ）を振り分ける振分け装置（３０）と、を有し、
該振分け装置（３０）は、前記開閉部材（１３ａ）により導入された遊技球（Ｂａ）を前記高確率導入路（３２）及び前記通常確率導入路（３１）のうちの何れか一方に振り分けるように直線状に延在する分岐路（３４）と、前記開閉部材（１３ａ）により導入された遊技球（Ｂａ）を前記分岐路（３４）の延在方向に対し直交する形で導くように形成された導入路（３５）と、前記分岐路（３４）と前記導入路（３５）との交差部分に配置された振分け回動部材（３９）と、を有し、かつ、
該振分け回動部材（３９）は、
前記通常確率導入路（３１）側に傾斜する一方向（例えば反時計回り方向）と前記高確率導入路（３２）側に傾斜する他方向（例えば反時計回り方向）とに交互に回動し、前記一方向に回動した状態にあっては前記導入路（３５）から前記分岐路（３４）に進入する遊技球（Ｂａ）に当接する段差（ｄ）を形成することで、前記分岐路（３４）に通常の過程を経て転動してくる遊技球（Ｂａ）のみを乗り越えさせて該分岐路（３４）に進入させ、かつ前記通常の過程以外の過程を経て転動してくる遊技球（Ｂａ）を停止させて前記分岐路（３４）内に進入させないように構成される、
ことを特徴とする弾球遊技機（１）にある。
【０００９】
請求項２に係る本発明は（例えば図５ないし図１２参照）、前記導入路（３５）は、遊技球の直径よりやや大きい幅（ｅ）を有し、かつ前記導入路（３５）を介して転動してくる遊技球（Ｂａ）を前記高確率導入路（３２）側に寄せた状態で前記分岐路（３４）に進入させ得るように傾斜状態で前記分岐路（３４）に連結されてなり、
前記振分け回動部材（３９）は、前記一方向に回動した状態にあっては、前記高確率導入路（３２）側に寄った状態で前記分岐路（３４）に進入する遊技球（Ｂａ）の中心（ｃ）より下部側を当接するように前記分岐路（３４）から突出してなる、
請求項１記載の弾球遊技機（１）にある。
【００１０】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１１】
請求項１に係る本発明によると、可変入賞装置の振分け装置に備えた振分け回動部材が、通常確率導入路側に傾斜する一方向と高確率導入路側に傾斜する他方向とに交互に回動し、一方向に回動した状態にあっては導入路から分岐路に進入する遊技球に当接する段差を形成することで、分岐路に通常の過程を経て転動してくる遊技球のみを乗り越えさせて該分岐路に進入させ、かつ通常の過程以外の過程を経て転動してくる遊技球を停止させて分岐路内に進入させないように構成されるので、導入路と分岐路の交差部分がＴ字状になって、導入路を転動してくる遊技球を分岐路に直交方向に進入させ得るようになり、通常の過程、つまり不正行為を行わない通常の弾球遊技により転がり移動してくる遊技球は段差を問題なく乗り越えさせて分岐路に進入させることができ、また、通常の過程以外の過程、つまり磁石を使った不正行為で緩やかに転がり移動してくる遊技球は、段差により速度ベクトルを０にして停止させて分岐路内に確実に進入させないようにすることができる。
【００１２】
そして、導入路から分岐路に突入する遊技球の進行方向を直線状にし、分岐路に突入する遊技球の進行方向を直線状にしたことで、開閉部材の開閉動作で取り込まれる際の勢い等に起因して導入路を通常時より高速で分岐路にイレギュラー的に飛び込む遊技球を、その勢いに影響されることなく高確率導入路や通常確率導入路へのイレギュラー的な進入を低減させ、所謂２種遊技機における肝となる高確率導入路と通常確率導入路への遊技球の振分け率を安定させることが可能になる。また、磁石を使った不正行為で進入させようとする遊技球を、段差により分岐路への進入を遮断することで、それ以降の遊技球も導入路内に積載させて詰まらせ、磁石を使った不正行為が一度行われると当該不正行為が行われた痕跡を露呈させることができ、従って、不正報知手段としても活用することができる。
【００１３】
請求項２に係る本発明によると、導入路が、遊技球の直径よりやや大きい幅を有しかつ導入路を介して転動してくる遊技球を高確率導入路側に寄せた状態で分岐路に進入させ得るように傾斜状態で分岐路に連結され、振分け回動部材が、一方向に回動した状態にあっては、高確率導入路側に寄った状態で分岐路に進入する遊技球の中心より下部側を当接するように分岐路から突出するので、遊技球を高確率導入路側に寄せた状態で常に同じ位置から分岐路に進入させることができ、従って、遊技球の勢いに影響されることなく高確率導入路や通常確率導入路へのイレギュラー的な進入を低減させる効果をより有効にすることができる。
【図面の簡単な説明】
【００１４】
【図１】本発明に係る実施の形態におけるパチンコ機の外部構造を示す正面図である。
【図２】センター飾りを拡大して示す正面図である。
【図３】センター飾りにおける振分け装置及びその周辺部を抜粋して示す正面図である。
【図４】図３に示す部位を右上方から見下ろした状態で示す斜視図である。
【図５】図３に示す部位の内部構造を示す正面図である。
【図６】図５に示した部位を一部拡大して示す正面図である。
【図７】振分け装置の内部を上方から見下ろした状態で示す平面図である。
【図８】振分け装置を図７の右側から見た状態で示す側面図である。
【図９】振分け装置における導入路を有する部材を単体で示す正面図である。
【図１０】図９に示す導入路を有する部材を斜め後側から見た状態で示す斜視図である。
【図１１】振分け装置の振分け回動部材を左側に傾けた状態で示す図であり、（ａ）は振分け回動部材の平面図、（ｂ）は振分け回動部材の正面図、（ｃ）は振分け回動部材の右側面図である。
【図１２】振分け装置の振分け回動部材を右側に傾けた状態で示す図であり、（ａ）は振分け回動部材の平面図、（ｂ）は振分け回動部材の正面図、（ｃ）は振分け回動部材の右側面図である。
【図１３】本パチンコ機の全体の制御系を示すブロック図である。
【発明を実施するための形態】
【００１５】
以下、本発明に係る弾球遊技機の実施形態として、遊技場等に設置されるパチンコ機１の概略を図１を参照して説明する。図１は本発明に係る実施の形態におけるパチンコ機１の外部構造を示す正面図である。なお、後述する実施の形態では、本発明の弾球遊技機を、所謂２種パチンコ遊技機に適用した例を挙げて説明するが、これに限らず、所謂１種２種パチンコ遊技機等にも適用可能であることは勿論である。
【００１６】
すなわち、本パチンコ機（弾球遊技機）１は、図１に示すように、発射ハンドル９の操作による球発射装置７２（図１３参照）の作動で磁性金属製の遊技球（所謂パチンコ玉）を遊技盤１１の遊技領域１１ａに向かって打ち出しつつ遊技を行うもので、打ち出された遊技球が、入賞口１３（以下、可変入賞口１３ともいう）１３、入賞口１４（以下、第１入賞口１４ともいう）、入賞口１５（以下、第２入賞口１５ともいう）、入賞口１６，１７（以下、一般入賞口１６，１７ともいう）、又はアウト口１８に収容される構成をなしている。
【００１７】
図１に示すように、本実施形態におけるパチンコ機１は、開口を有する枠体状の筐体２と、この筐体２に開閉可能に装着された前扉３とを有しており、前扉３の前面には、透明ガラス３６を有するガラス枠５が開閉可能に取り付けられている。透明ガラス３６の奥側には、遊技盤１１が配設されている。前扉３における遊技盤１１の左右には演出用照明装置２８が配設されており、前扉３における上部左右には夫々スピーカ（図示せず）を有する放音装置８が配設されている。また、ガラス枠５における右側部には、前扉３を筐体２側に施錠又は解放するための施錠装置４が配設されている。なお、上記筐体２及び前扉３等により遊技機本体が構成されている。
【００１８】
本パチンコ機１は、上記遊技機本体に設けられた遊技盤１１の遊技領域１１ａに、遊技球Ｂａが入球可能な入賞口（始動入賞口）１４，１５と、該入賞口１４，１５への入球を契機に開放して内部の機械的抽選部４７への入球を可能にする羽根部材（開閉部材）１３ａを有するセンター飾り２２とを備える。更に、機械的抽選部４７は、特定入賞口（特定入賞部、所謂Ｖゾーン）５３ａ（図２参照）及び一般入賞口（外れ部位、所謂外れゾーン）５３ｂ，５３ｃ（図２参照）を有して一方向（本実施形態では図２の反時計回り方向）に連続的に低速回転する回転部材５３（図２参照）を備えている。
【００１９】
そして、前扉３は下部中央に皿ユニット６を有しており、該皿ユニット６における右上部には、賞球及び貸球を含む遊技球が供給される球供給口２３が設けられ、皿ユニット６における右上部には、球貸ボタン７ａ及び返却ボタン７ｂが設けられている。皿ユニット６の中央部には、該皿ユニット６上の遊技球を皿ユニット６下部の球排出口（図示せず）を通して下方に排出するための第１球抜きボタン２１ａと、皿ユニット６上の遊技球を球供給口２３付近から上記球排出口を通して下方に排出するための第２球抜きボタン２１ｂとが配置されている。
【００２０】
また、前扉３における皿ユニット６の右側下方には、球発射装置７２（図１３参照）を操作して遊技球を遊技盤１１に向けて打ち出すための発射ハンドル９が設けられ、皿ユニット６の左側下方には灰皿２５が配設されている。なお、図１中の符号１２は、発射ハンドル９の操作で発射された遊技球を遊技領域１１ａに導くガイドレールを示し、符号１８はアウト口を示している。また、本パチンコ機１には、遊技中に遊技領域１１ａにて入賞することなく落下してアウト口１８に入り込んだ遊技球をパチンコ機背面側に導くアウト球通路（図示せず）が設けられている。
【００２１】
一方、遊技領域１１ａ内に配設された入賞口１３〜１７は全て、遊技球が入賞した場合に所定数の遊技球を賞球するように機能するが、単に遊技球の賞球のみを行うものと、賞球以外の他の機能を有するものとが存在している。具体的には、遊技領域１１ａの中央左側に設けられた入賞口１６と、遊技領域１１ａの左右下方に設けられた、後述する遊技球誘導ユニット２０に配設された入賞口１７とが、前者に示した賞球のみ行う入賞口となる。また、遊技領域１１ａの中央に設けられたセンター飾り２２の上部に配置された入賞口１３と、遊技領域１１ａの中央下部に縦に整列されて配設された入賞口１４，１５とが、後者に示した賞球以外の他の機能を有する入賞口となる。
【００２２】
第１入賞口１４及び第２入賞口１５の左右には、遊技領域１１ａに打ち出されて落下してきた遊技球を、第２入賞口１５の方へ誘導し得る遊技球誘導ユニット２０が配置されている。遊技球誘導ユニット２０は、誘導部材１９が遊技盤１１に取り付けられ、上方に向けて開口した入賞口１７を有している。この入賞口１７は、遊技球の入賞をもって所定数の遊技球を賞球する機能を有している。
【００２３】
誘導部材１９の上部には、遊技領域１１ａの中央部に向かって下降するように傾斜する遊技球誘導路が形成されているので、遊技領域１１ａに打ち出されて落下してくる遊技球が、誘導部材１９（即ち、遊技球誘導ユニット２０）の上面側に落下した際には、上記遊技球誘導路上を遊技領域１１ａの中央部に向かって転動することとなる。
【００２４】
また、遊技球誘導ユニット２０の第２入賞口１５側には、誘導部材１９の背後から不図示のソレノイドによって突出する可動部材２６が配置されている。可動部材２６は、上記ソレノイドの非駆動時には、誘導部材１９の背後に全体が隠れるように退避した状態となっている。また、駆動時には、図１に示した位置までその先端が移動するので、遊技球誘導路上に落下して転動する遊技球の第２入賞口１５への入球を補助し得るものとなる。
【００２５】
一方、前述したセンター飾り（可変入賞装置）２２の中央上部に備えた可変入賞口１３は、通常時において羽根部材（開閉部材）１３ａによって閉鎖されている。しかし、遊技球が、第１入賞口（始動入賞口）１４もしくは第２入賞口（始動入賞口）１５に入賞した際には、羽根部材１３ａが開閉ソレノイド７０（図１３参照）によって開閉駆動されることによって、一定時間（例えば約０．５秒／回）だけ開放状態となる。
【００２６】
すなわち、第１入賞口１４及び第２入賞口１５への入賞は、通常の賞球のみならず、センター飾り２２の可変入賞口１３を開放させる条件ともなっている。具体的には、第１入賞口１４に遊技球が入賞した際には、羽根部材１３ａが駆動されることによって、可変入賞口１３が１回だけ開放状態となる。また、第２入賞口１５に遊技球が入賞した際には、第１入賞口１４に入賞したときと同様な可変入賞口１３の開放が２回実行される。これにより、第１入賞口１４へ入賞したときよりも第２入賞口１５に入賞したときの方が、可変入賞口１３への遊技球の入賞可能性は高まるものとなっている。
【００２７】
ところで、遊技領域１１ａには、センター飾り２２の左右に風車２４がそれぞれ配設されている。また、遊技領域１１ａにおけるセンター飾り２２の周囲には、発射されてからセンター飾り２２に関与せずに落下してくる遊技球を適宜散らし、第１入賞口１４、第２入賞口１５等に対し、入賞に導くようにするための複数の障害釘が打ち込まれている。なお、本実施の形態においては、上記風車２４がセンター飾り２２の左右に配設されるものとして説明するが、これは１つの例であり、配設させる位置や数については遊技領域１１ａ内において特に限定されるものではない。また、障害釘や各種入賞口等にあっても、配設させる位置や数について遊技領域１１ａ内において特に限定されるものではない。
【００２８】
また、センター飾り２２の上部に配置された羽根部材１３ａは、開閉ソレノイド７０（図１３参照）によって回動駆動（図１の反時計回り方向、時計回り方向）されることで可変入賞口１３を開閉する。打ち出されてきた遊技球は、可変入賞口１３の開状態の際にセンター飾り２２内の機械的抽選部４７に導入され得るものとなる。
【００２９】
センター飾り２２における機械的抽選部４７の背面側には、種々の演出表示を行う画像表示装置４０が設けられている。該センター飾り２２内の左側部には、可変入賞口１３から機械的抽選部４７へと連通する案内路３１ａが形成されている。該案内路３１ａの下端部には、可変入賞口１３から導入した遊技球を機械的抽選部４７の案内路５５に導入する導入口３１ｂ（図３及び図４参照）が設けられている。案内路５５の内部には、放出口５５ａ（図２参照）から機械的抽選部４７内の回転部材５３上に遊技球を放出する抽選ルート（図示せず）と、放出口５５ａに到達する前に遊技盤１１の裏面に遊技球を排出する排出ルート（図示せず）とに、案内路３１ａを案内されてきた遊技球を選別するように、不図示のソレノイドの作動で一定時間ごとに位置が切換わる選別部材（図示せず）が配設されている。該選別部材の作動により、抽選ルート又は排出ルートのいずれかに１／２（５０％）の確率で遊技球が振り分けられる。なお、放出口５５ａからの遊技球は、回転部材５３上にて該回転部材５３の回転方向とは逆の方向（本実施形態では図２の時計回り方向）に回転移動し得る角度で放出される。
【００３０】
上記機械的抽選部４７は、図２に示すように、センター飾り２２の下部中央に設けられたステージＳの上部後方側に配設されると共に、回転部材５３を中心部分に回転自在に収容する収容部４８を有している。該収容部４８には、案内路５５側に形成されて該案内路５５内で選別された遊技球を回転部材５３上に放出する放出口５５ａと、上方に位置する放出口３２ａから落下した遊技球Ｂａを緩衝しつつ受けるコップ状の球受け部５６と、該球受け部５６側に形成された状態で該球受け部５６で受けた遊技球を回転部材５３上に放出する放出口５６ａとが設けられている。放出口５６ａからの遊技球は、回転部材５３上にて該回転部材５３の回転方向とは逆の方向（本実施形態では図２の時計回り方向）に回転移動し得る角度で放出される。該回転部材５３には、特定入賞口５３ａ及び一般入賞口５３ｂ，５３ｃが、回転中心５４を中心とした放射状に設けられており、該回転部材５３の下部内方には、特定入賞口５３ａに入賞した遊技球を検出する入賞口センサ４９（図１３参照）と、一般入賞口５３ｂ，５３ｃに入賞した遊技球を検出する入賞口センサ５０（図１３参照）とが配設されている。
【００３１】
上記センター飾り２２は、左側に設けられた導入口２７から導入された遊技球を上記ステージＳに案内する案内路５９と、該案内路５９を経由してステージＳに案内された遊技球のうちで上手く載ったものを紙面奥側に進入させて下方の放出口２９から第１入賞口１４に向けて放出させるための導入路５７と、該導入路５７の左右に位置して、導入路５７に導入されなかった遊技球を導いて下方の、第１入賞口１４とはやや異なる方向に落下させるための案内溝５８，５８とを有している。
【００３２】
ついで、本発明の特徴である、センター飾り（可変入賞装置）２２の振分け装置３０及びその周辺構造について、図２〜図１２を参照して説明する。
【００３３】
すなわち、センター飾り２２は、遊技球Ｂａを機械的抽選部４７に所定の導入確率（例えば５０％）で導入し得る通常確率導入路３１と、遊技球Ｂａを機械的抽選部４７に該通常確率導入路３１への導入確率より高い導入確率（例えば１００％）で導入し得る高確率導入路３２と、これら両導入路３１，３２の何れかに遊技球Ｂａを振り分ける振分け装置３０とを有している。
【００３４】
上記センター飾り２２は、遊技領域１１ａに配置された状態で、該遊技領域１１ａに打ち出された遊技球を羽根部材（開閉部材）１３ａの開閉動作で導入し、該遊技球を、機械的抽選部４７の特定入賞口（特定入賞部）５３ａと一般入賞口（外れ部位）５３ｂ，５３ｃの何れかに導く可変入賞装置を構成している。該センター飾り２２は、遊技球を機械的抽選部４７に所定の導入確率（例えば５０％）で導入し得る通常確率導入路（所謂ノーマルルート）３１と、遊技球を該通常確率導入路３１への導入確率より高い導入確率（例えば１００％）で導入し得る高確率導入路（スペシャルルート）３２と、これら両導入路３１，３２の何れかに遊技球Ｂａを振り分ける振分け装置３０とを有している。通常確率導入路３１は、羽根部材１３ａにより導入されて導入路３５を通って振分け装置３０の振分け回動部材３９で振り分けられた遊技球を、案内路３１ａ及び導入口３１ｂを介して案内路５５に案内するように構成されている。高確率導入路３２は、羽根部材１３ａにより導入されて導入路３５を通って振分け装置３０の振分け回動部材３９で振り分けられた遊技球を、放出口３２ａから機械的抽選部４７の球受け部５６に落下させるように構成されている。
【００３５】
上記振分け装置３０は、羽根部材１３ａにより導入された遊技球Ｂａを高確率導入路３２及び通常確率導入路３１のうちの何れか一方に振り分けるように直線状に延在する分岐路３４と、羽根部材１３ａにより導入された遊技球Ｂａを分岐路３４の延在方向に対し直交する形で導くように形成された導入路３５と、分岐路３４と導入路３５との交差部分に配置された振分け回動部材３９とを有している。つまり、振分け装置３０は、図３及び図４に示すように、裏面側のベース部材４２に装着する形で設けられており、開閉部材１３ａにより導入された遊技球を受け入れる導入路３５と、該導入路３５の球案内面３５ａを介して送られた遊技球を振分け回動部材３９（図５参照）側に進入させる進入口３５ｆ（図６参照）と、上記放出口３２ａを先端部に備えた高確率導入路３２と、案内路３１ａ及び導入口３１ｂを備えた通常確率導入路３１とを有している。
【００３６】
上記振分け装置３０は、図５及び図６に示すように、開閉部材１３ａにより導入された遊技球Ｂａを高確率導入路３２及び通常確率導入路３１のいずれか一方に振り分ける、同図左右方向に延在する直線状の分岐路３４と、該分岐路３４に対し直交してＴ字状を成すように位置決めされて遊技球Ｂａを導く導入路３５とを有している。振分け装置３０は、導入路３５よりベース部材４２側に、分岐路３４に導入路３５を介して導かれた遊技球Ｂａを当接させる段差ｄ（図８参照）を形成するように作動する振分け回動部材３９を有している。
【００３７】
上記導入路３５は、図７〜図１０に示すように、ベース部材４２側に装着される装着面３５ｅから前面側（図７の紙面下側）に膨出する形状を呈する単体の部材から構成されている。該導入路３５は、羽根部材１３ａにより導入された遊技球Ｂａを衝撃無く緩やかに受け止め得るように側面視が湾曲状（図６参照）に形成された球受け面３５ｄと、該球受け面３５ｄに続き且つ分岐路３４の延在方向と平行に延びる平坦面として形成された球案内面３５ａと、該球案内面３５ａを転動してきた遊技球Ｂａを受け止めつつその方向を分岐路３４と直交する方向（図７の矢印Ａ方向）に変更させるように平面視が湾曲状にされた転動方向変更面３５ｂと、該転動方向変更面３５ｂで受け止められつつ転動方向を進入口３５ｆ側に変更された遊技球Ｂａを一段下方に落とすように他の部位に比して低く形成された段差面３５ｃとを有している。
【００３８】
上記段差面３５ｃは、振分け回動部材３９が通常確率導入路３１側に傾いた状態（図６参照）のときに、磁石を使った不正行為により導入路３５からゆっくりと進入しようとして、振分け回動部材３９の平坦状の振分け面３９ａとで成す段差ｄを有する前端面３９ｃに当接して停止された遊技球Ｂａを、その下面を図８の符号Ｂａ１で示すように前端面３９ｃ上端に当接させた状態で停留させるように機能する。また、導入路３５からの遊技球Ｂａを分岐路３４側に受け入れる進入口３５ｆは、遊技球Ｂａの直径（例えば１１［ｍｍ］）よりやや大きい幅寸法ｅ（図６参照）を有した形で開放されている。なお、符号３９ｂは、振分け面３９ａの後端縁部から上方に直角に立ち上がるように形成され、分岐路３４に勢いよく跳びこんできた遊技球Ｂａを当接させて振分け面３９ａ上に落下させるための当接面である。
【００３９】
上記振分け回動部材３９は、通常確率導入路３１側に傾斜する反時計回り方向（一方向）と高確率導入路３２側に傾斜する時計回り方向（他方向）とに交互に回動し、反時計回り方向に回動した状態にあっては導入路３５から分岐路３４に進入する遊技球Ｂａに当接する段差ｄを形成することで、分岐路３４に通常の過程を経て転動してくる遊技球Ｂａのみを乗り越えさせて該分岐路３４に進入させ、かつ通常の過程以外の過程（即ち、磁石を使った不正行為）を経て転動してくる遊技球Ｂａを停止させて分岐路３４内に進入させないように構成されている。
【００４０】
つまり、振分け回動部材３９は、ベース部材４２側に支持される回動支点４１を中心として、図５及び図６の反時計回り方向（一方向）と時計回り方向（他方向）とに一定の時間間隔で交互に回動動作するように構成され、振分けソレノイド５２（図１３参照）のプランジャ（図示せず）の進退力を公知の伝達機構（図示せず）を介して受けることで回動させられる。振分け回動部材３９は、通常確率導入路３１側に傾斜する反時計回り方向（一方向）に回動した状態にあっては、高確率導入路３２側に寄った状態で分岐路３４に進入する遊技球Ｂａの中心ｃより下部側を当接するように分岐路３４から突出するように構成されている。
【００４１】
上記導入路３５は、図６に示すように、遊技球の直径よりやや大きい幅ｅを有し、かつ該導入路３５を介して転動してくる遊技球Ｂａを高確率導入路３２側に寄せた状態で分岐路３４に進入させ得るように傾斜状態で分岐路３４に連結されている。つまり、振分け装置３０の正面視において、導入路３５は、全体的に同図右側に向けて下降するように傾斜して配設されており、振分け回動部材３９との位置関係では、進入口３５ｆの幅寸法ｅのやや左側に振分け回動部材３９の回動中心４１が位置するように構成される。
【００４２】
上記振分け回動部材３９は、図１１（ａ），（ｂ），（ｃ）に示すように、通常確率導入路３１側に傾斜する反時計回り方向（一方向）に回動した状態において、進入口３５ｆの下面（即ち段差面３５ｃ）から上方に前端面３９ｃを角度θだけ上昇し、遊技球Ｂａの中心ｃ（図８参照）よりも下側を当接させ得るように段差面３５ｃから上方に所定量突出して、振分け面３９ａとの間に段差ｄ（図８参照）を形成するように構成されている。また、振分け回動部材３９は、図１２（ａ），（ｂ），（ｃ）に示すように、高確率導入路３２側に傾斜する時計回り方向（他方向）に回動した状態においては、進入口３５ｆの下面（即ち段差面３５ｃ）から上方に段差ｄより小さい若干量だけ上昇した状態で、遊技球Ｂａの下部面を僅かに当接させ得るように構成される。従って、磁石を使った不正行為によって遊技球Ｂａが磁石で吸着されつつ球案内面３５ａを緩やかに誘導されて、転動方向変更面３５ｂからタイミングを見計らって進入口３５ｆに進入されようとしても、図１１に示す状態にあっては、段差面３５ｃから上方に突出した前端面３９ｃが遊技球Ｂａを当接させて失速させ、分岐路３４内に進入する速度ベクトルを０にすることで、不正行為を防止するように機能する。
【００４３】
一方、振分け回動部材３９は、高確率導入路３２側に傾斜するように回動した状態（図１２参照）では、進入口３５ｆの下面（即ち段差面３５ｃ）から若干量突出した状態になるため、このタイミングで普通の勢いで到達した遊技球Ｂａを高確率導入路３２に導くように機能する。上述した段差ｄは、遊技球Ｂａの直径が例えば１１［ｍｍ］である場合、１／１０から２／１０程度の寸法であれば良く、該段差ｄがあまり大きくなると、遊技球Ｂａが通常時の勢いで分岐路３４に進入しようとした場合であっても、該遊技球Ｂａを進入させることが難しくなる。
【００４４】
次に、本実施形態におけるパチンコ機１の制御系を図１３に沿って説明する。図１３は本パチンコ機１の全体の制御系を示すブロック図である。
【００４５】
遊技制御装置６０は、遊技盤１１の裏面に取り付けられた役物制御ユニット（図示略）により実現されている。図１３に示すように、遊技制御装置６０は、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力Ｉ／Ｆ（インターフェース）６４とを有している。遊技用マイクロコンピュータ６２は、ＣＰＵ６２ａ、ＲＯＭ６２ｂ、ＲＡＭ６２ｃを内蔵する、所謂アミューズチップ用のＩＣとして製造されている。
【００４６】
遊技制御装置６０の入出力Ｉ／Ｆ６４には、第１入賞口センサ６５、第２入賞口センサ６６、及び入賞口センサＳＴ１，ＳＴ２，４９，５０からの検知信号が入力される。ここで、第１入賞口センサ６５は、第１入賞口１４への入賞を検知するセンサであり、第２入賞口センサ６６は、第２入賞口１５への入賞を検知するセンサである。また、入賞口センサＳＴ１，ＳＴ２はそれぞれ、一般入賞口１６，１７、可変入賞口１３への入賞を検知するセンサである。また、入賞口センサ４９は、特定入賞口５３ａへの大当たりに係る入賞を検知するセンサで、入賞口センサ５０は、一般入賞口５３ｂ，５３ｃへの入賞を検知するセンサである。
【００４７】
遊技用マイクロコンピュータ６２は、入賞判定手段４６を有している。該入賞判定手段４６は、第１入賞口センサ６５、第２入賞口センサ６６、入賞口センサＳＴ１，ＳＴ２，入賞口センサ４９，５０からの検知信号に基づき、第１入賞口１４、第２入賞口１５、一般入賞口１６，１７、可変入賞口１３、特定入賞口５３ａ、一般入賞口５３ｂ，５３ｃへの入賞をそれぞれに判定する。
【００４８】
また、入出力Ｉ／Ｆ６４からは、放音装置８を放音駆動して効果音などの出力制御を行う音声出力制御装置６８、演出用照明装置２８等の制御を行う演出制御装置６９、センター飾り２２の羽根部材１３ａを開閉作動させる開閉ソレノイド７０、球発射装置７２を制御する発射制御装置７１、機械的抽選部４７の回転部材５３を一方向に連続的に回転するように駆動するモータ５１、振分け装置３０の振分け回動部材３９を図５の時計回り方向と反時計回り方向とに一定の時間間隔で交互に回動動作させる振分けソレノイド５２、に信号がそれぞれ出力される。
【００４９】
上記振分けソレノイド５２は、振分け回動部材３９の高確率導入路３２側への回動停留時間が通常確率導入路３１側への回動停留時間に比して短くなるように該振分け回動部材３９を回動させるように作動される。
【００５０】
更に、入出力Ｉ／Ｆ６４からは、排出制御装置６７にも賞球制御情報の信号が出力される。なお、賞球制御情報の内容としては、賞球数情報や排出条件等の情報が出力される。排出制御装置６７は、遊技制御装置６０から入力される賞球制御情報に基づいて、排出ユニット（不図示）を駆動して遊技球を排出する制御を行うものである。すなわち、遊技制御装置６０は、遊技領域１１ａの各入賞口に設けられた第１入賞口センサ６５、第２入賞口センサ６６、入賞口センサ４９，５０によって入賞が検知されると、各入賞口の入賞価値に対応して予め設定された賞球数情報を、排出制御装置６７へ送信する。そして、排出制御装置６７では、この賞球数情報を受信して、それに応じた賞球排出制御を行う。
【００５１】
次に、本パチンコ機１による作用について説明する。すなわち、本パチンコ機１に対面して着座した遊技者が発射ハンドル９を握り、適宜の角度に回動操作した際、発射制御装置７１がその回転角に基づいて球発射装置７２を制御し、それにより、該球発射装置７２の作動で遊技球を所定の時間間隔で遊技領域１１ａに向けて連続的に発射する。すると、遊技領域１１ａに打ち出されて転動落下する多数の遊技球は、入賞口１６，１７等に適時入賞し、或いは、これらに関与せずに転動落下して、遊技領域１１ａ最下部のアウト口１８から遊技盤１１背面側に排出される。
【００５２】
ここで、本パチンコ機１は、通常の遊技中、遊技領域１１ａに打ち出された遊技球が、ステージＳを経由して、或いは該ステージＳを経由せずに第１入賞口１４に入賞すると、センター飾り２２に備えた羽根部材１３ａが、開閉ソレノイド７０の作動によって１回の開閉動作（例えば約０．５秒間）を行う。また、遊技球が第２入賞口１５に入賞した際には、羽根部材１３ａは、開閉ソレノイド７０の作動によって２回の開閉動作（例えばそれぞれ約０．５秒間ずつ）を行う。このようにして羽根部材１３ａが開状態となったとき、遊技領域１１ａに打ち出された遊技球の中には、可変入賞口１３からセンター飾り２２内へと導入されるものがある。
【００５３】
可変入賞口１３からセンター飾り２２内に進入した遊技球Ｂａは、まず、導入路３５の球受け面３５ｄによって緩やかに受け止められ、湾曲状の傾斜に沿って球案内面３５ａを案内されて転動方向変更面３５ｂに接触し、該転動方向変更面３５ｂの湾曲形状に沿って転動方向を分岐路３４に直交する方向（図７の矢印Ａ方向）に変更して、進入口３５ｆから分岐路３４に進入する。
【００５４】
その場合、振分け回動部材３９が回動中心４１を中心として図５の時計回り方向と反時計回り方向とに一定の時間間隔で交互に回動動作しているため、例えば振分け回動部材３９が図１１（ｂ）に示すように通常確率導入路３１側に回動して傾いた際に遊技球Ｂａが分岐路３４に進入しようとすると、該遊技球Ｂａは、段差面３５ｃから上方に突出した前端面３９ｃに下部が当接してやや失速するが、ここで該遊技球Ｂａは、羽根部材１３ａで拾われて球受け面３５ｄに落下し、球案内面３５ａを勢い良く転がり移動して到達しているため、上方に突出した前端面３９ｃを容易に乗り越えて分岐路３４に進入する。そのため、振分け回動部材３９が通常確率導入路３１側に傾斜したままのタイミングであれば、該遊技球Ｂａは通常確率導入路３１側に誘導されて転がり移動する。また、遊技球Ｂａが分岐路３４に進入したタイミングで振分け回動部材３９が高確率導入路３２側に回動すると、該遊技球Ｂａは高確率導入路３２側に誘導されて転がり移動する。
【００５５】
一方、例えば振分け回動部材３９が図１２（ｂ）に示すように高確率導入路３２側に回動して傾いた状態のときに遊技球Ｂａが分岐路３４に進入しようとする場合、振分け回動部材３９の前端面３９ｃは段差面３５ｃから僅かに突出する程度の状態であるため、普通の勢いで到達した遊技球Ｂａは、分岐路３４に進入した後、振分け回動部材３９の傾斜に沿って高確率導入路３２側に導かれる。
【００５６】
ここで例えば、不正行為者が高確率導入路３２への導入を狙って、ガラス枠５の透明ガラス越しに強力な磁石を使い、遊技球Ｂａを吸着しつつ球案内面３５ａを緩やかに誘導し、転動方向変更面３５ｂからタイミングを見計らって進入口３５ｆに進入させようとした場合、つまり、図１１（ｂ）に示すように振分け回動部材３９が通常確率導入路３１側に回動した最後のタイミング（即ち、高確率導入路３２側に回動する直前のタイミング）を見計らって進入口３５ｆに進入させようとした場合、当該遊技球Ｂａを高確率導入路３２に思い通りに導入させることはできない。
【００５７】
すなわち、ガラス越しに磁石に吸着された遊技球Ｂａは、転動方向変更面３５ｂに沿って転がり移動しながらゆっくりと振分け回動部材３９に載ろうとするため、振分け回動部材３９が図１１（ｂ）に示す状態にあれば、段差面３５ｃから上方に所定量突出した前端面３９ｃに当接して失速し、速度ベクトルが０になって勢いが無くなることから、該前端面３９ｃを乗り越えることができず、従って、図８の符号Ｂａ１で示すように段差面３５ｃ上に停留することになる。そのため、後続の遊技球Ｂａが、先行して停留している遊技球Ｂａ１に当接して詰まり、複数個の遊技球Ｂａによる球詰まり状態を発生させることになる。この時点で、たとえ振分け回動部材３９が高確率導入路３２側に回動したとしても、図１２（ｂ）に示すように、前端面３９ｃが段差面３５ｃから上方に若干量だけ上昇して遊技球Ｂａの下部面を僅かに当接させるので、遊技球Ｂａ１は分岐路３４側に進入できず、後続の遊技球Ｂａが転動してきた場合、上述と同様に球詰まり状態を発生させることになる。
【００５８】
また、振分け回動部材３９が図１２（ｂ）に示す状態にある場合には、段差面３５ｃから僅かに突出した前端面３９ｃに当接して進入速度がやや遅くなり、更に、高確率導入路３２側への回動停留時間が通常確率導入路３１側への回動停留時間に比して短い振分け回動部材３９が、次の瞬間に通常確率導入路３１側に回動するため、遊技球Ｂａは振分け回動部材３９に載ったとしても通常確率導入路３１に導かれることが多い。
【００５９】
ところで、羽根部材１３ａによりセンター飾り２２内に取り込まれた遊技球は、上述の振分け装置３０に到達する前に入賞口センサＳＴ２（図１３参照）で検出され、遊技制御装置６０が、該入賞口センサＳＴ２からの検知信号を契機として、導入された遊技球の数を不図示のカウンタでカウントすると共に、予め設定された賞球数情報（例えば賞球数が５個）を排出制御装置６７へ送信する。該排出制御装置６７は、この賞球数情報を受信して、それに応じた賞球排出制御を行う。
【００６０】
そして、当該遊技球が上述のように振分け装置３０によって振り分けられた場合、通常確率導入路３１に導かれた遊技球は、案内路３１ａに沿って垂直下方に案内され、導入口３１ｂから案内路５５に放出された後、該案内路５５の内にて、回転部材５３上に放出する抽選ルートと、回転部材５３上に放出されない排出ルートとに選別される。その結果、遊技球が抽選ルートに移動されると、回転部材５３上に放出されて該回転部材５３の回転方向と逆の方向に回転移動する。この場合、回転部材５３は、遊技球の転動方向とは逆の方向に緩やかに回転しているため、当該遊技球は、回転部材５３の逆方向回転の影響を受けながら不規則な挙動を見せつつ減速し、特定入賞口５３ａ、一般入賞口５３ｂ，５３ｃの何れかに偶然的に導入されて落下することになる。
【００６１】
そして、落下した入賞口が特定入賞口５３ａの場合、遊技球は、入賞口センサ４９の検知孔（図示せず）を通過した後、排出される。一方、落下した入賞口が一般入賞口５３ｂ，５３ｃの何れかの場合、遊技球は、入賞口センサ５０の検知孔（図示せず）を通過した後、排出される。
【００６２】
そして、遊技球が、一般入賞口５３ｂ，５３ｃに入球した場合は、遊技制御装置６０は、入賞口センサ５０からの検知信号を契機として、カウンタにてカウントしたセンター飾り２２内に導入された遊技球の数をデクリメントする。また、遊技球が、特定入賞口５３ａに入賞した場合は、入賞口センサ４９によって大当たり確定の入賞が検知されると共に、該検知信号を契機として遊技制御装置６０がカウンタにてカウントしたセンター飾り２２内に導入された遊技球の数をデクリメントする。そして、入賞口センサ４９からの上記検知信号を受けた遊技用マイクロコンピュータ６２は、その旨の信号を演出制御装置６９に送信する。
【００６３】
そして、センター飾り２２内に導入された遊技球の全てが排出され、遊技制御装置６０のカウンタにてカウントされた遊技球の数が零になった場合、遊技制御装置６０は、通常遊技時の状態へと戻る。
【００６４】
以上説明したように本実施の形態よると、センター飾り２２の振分け装置３０に備えた振分け回動部材３９が、通常確率導入路３１側に傾斜する一方向と高確率導入路３２側に傾斜する他方向とに交互に回動し、一方向に回動した状態にあっては導入路３５から分岐路３４に進入する遊技球Ｂａに当接する段差ｄを形成することで、磁石を使った不正行為の無い形で分岐路３４に転動してくる遊技球Ｂａのみを乗り越えさせて該分岐路３４に進入させ、かつ磁石を使った不正行為によって転動される遊技球Ｂａを停止させて分岐路３４内に進入させないように構成される。このため、導入路３５と分岐路３４の交差部分がＴ字状になって、導入路３５を転動してくる遊技球Ｂａを分岐路３４に直交方向に進入させ得るようになり、不正行為を行わない通常の弾球遊技により転がり移動してくる遊技球Ｂａは段差ｄを問題なく乗り越えさせて分岐路に進入させることができる。また、磁石を使った不正行為で緩やかに転がり移動してくる遊技球Ｂａは、段差ｄにより速度ベクトルを０にして停止させて分岐路３４内に確実に進入させないようにすることができる。
【００６５】
そして、導入路３５から分岐路３４に突入する遊技球Ｂａの進行方向を直線状にし、分岐路３４に突入する遊技球Ｂａの進行方向を直線状にしたことで、羽根部材１３ａの開閉動作で取り込まれる際の勢い等に起因して導入路３５を通常時より高速で分岐路３４にイレギュラー的に飛び込む遊技球Ｂａを、その勢いに影響されることなく高確率導入路３２や通常確率導入路３１へのイレギュラー的な進入を低減させ、所謂２種パチンコ機における肝となる高確率導入路３２と通常確率導入路３１への遊技球Ｂａの振分け率を安定させることができる。また、磁石を使った不正行為で進入させようとする遊技球Ｂａを、段差ｄにより分岐路３４への進入を遮断することで、それ以降の遊技球Ｂａも導入路３５内に積載させて詰まらせ、磁石を使った不正行為が一度行われると当該不正行為が行われた痕跡を露呈させることができ、従って、不正報知手段としても活用することができる。
【００６６】
また、本実施形態によると、導入路３５が、遊技球Ｂａの直径よりやや大きい幅ｅを有しかつ導入路３５を介して転動してくる遊技球Ｂａを高確率導入路３２側に寄せた状態で分岐路３４に進入させ得るように傾斜状態で分岐路３４に連結され、振分け回動部材３９が、上記一方向に回動した状態にあっては、高確率導入路３２側に寄った状態で分岐路３４に進入する遊技球Ｂａの中心ｃより下部側を当接するように分岐路３４から突出するように構成される。このため、進入する遊技球Ｂａを高確率導入路３２側に寄せた状態で常に同じ位置から分岐路３４に進入させることができ、従って、遊技球Ｂａの勢いに影響されることなく高確率導入路３２や通常確率導入路３１へのイレギュラー的な進入を低減させる効果をより有効にすることができる。
【００６７】
以上、本発明をその好適な実施の形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【産業上の利用可能性】
【００６８】
本発明に係る弾球遊技機は、パチンコ機、雀球遊技機等に用いることが可能であり、特に遊技領域に打ち出された遊技球を２つの異なるルートに振り分ける構成を備えるものに用いて好適である。
【符号の説明】
【００６９】
１    弾球遊技機（パチンコ機）
１１    遊技盤
１１ａ    遊技領域
１３ａ    開閉部材（羽根部材）
２２    可変入賞装置（センター飾り）
３０    振分け装置
３１    通常確率導入路
３２    高確率導入路
３４    分岐路
３５    導入路
３９    振分け回動部材
４７    機械的抽選部
５３ａ    特定入賞部（特定入賞口）
５３ｂ，５３ｃ    外れ部位（一般入賞口）
Ｂａ    遊技球
ｄ    段差
ｅ    幅
【図１】
2010200966.tif 000003
【図２】
2010200966.tif 000004
【図３】
2010200966.tif 000005
【図４】
2010200966.tif 000006
【図５】
2010200966.tif 000007
【図６】
2010200966.tif 000008
【図７】
2010200966.tif 000009
【図８】
2010200966.tif 000010
【図９】
2010200966.tif 000011
【図１０】
2010200966.tif 000012
【図１１】
2010200966.tif 000013
【図１２】
2010200966.tif 000014
【図１３】
2010200966.tif 000015